(57)【要約】【課題】従来、ハードディスクレコーダ等の録画再生装置において、予約設定時に予約された番組コンテンツ等を記録するために十分な空容量がない場合に記録済コンテンツの消去を促す機能を有する録画再生装置が存在するが、予約設定時に空容量を確保したとしても、その後ユーザが手動で録画を行った場合等には空容量不足となってしまう場合がある。【解決手段】録画予約情報受付部と、録画予約情報に基づいて予約録画を実行する予約録画実行部と、録画予約情報に基づいて必要な録画容量を取得する録画容量取得部と、記録デバイスの空容量を取得する空容量取得部と、録画容量に対して空容量が不足するか判断する判断部と、判断結果が不足するとの判断結果である場合には、装置電源ＯＦＦを受付けた際に、記録済コンテンツの削除などを促す報知をする報知部とを有する録画再生装置を提案する。【選択図】図１
2009081501.tif 000002
【特許請求の範囲】
【請求項１】
録画予約情報受付部と、
録画予約情報に基づいて予約録画を実行する予約録画実行部と、
録画予約情報に基づいて必要な録画容量を取得する録画容量取得部と、
記録デバイスの空容量を取得する空容量取得部と、
録画容量に対して空容量が不足するか判断する判断部と、
判断結果が不足するとの判断結果である場合には、装置電源ＯＦＦを受付けた際に、記録済コンテンツの削除などを促す報知をする報知部と、
を有する録画再生装置。
【請求項２】
予約録画実行部は、
予約されているコンテンツと予約されているコンテンツの時間間隔が所定の時間間隔条件を満たしているか判断する時間間隔条件判断手段と、
時間間隔条件を満たしていると判断される場合には一のコンテンツの録画終了後に電源をＯＦＦとしないで連続的にそれに続く他のコンテンツの録画をする連続録画手段と、を有し、
録画容量取得部は、
連続録画手段にて連続的に録画される複数のコンテンツがある場合には、録画容量としてそれら複数のコンテンツを録画するに必要な合計値を取得する連続録画容量取得手段、を有する請求項１に記載の録画再生装置。
【請求項３】
予約録画実行部は、録画メディアとして、信号読取素子がメディアの管理情報の書換とコンテンツの記録とを同時並行にて実行不可なメディアである管理情報バッチ処理メディアを利用する管理情報バッチ処理メディア手段を有する請求項１又は２に記載の録画再生装置。
【請求項４】
判断部は、録画予約情報を受付けた際に前記判断をする第一判断手段を有し、
報知部は、録画予約情報を受付けた際の第一判断手段での判断結果が不足するとの判断結果である場合にはコンテンツの削除などを促す報知を直ちに実行する第一報知手段を有する請求項１から３のいずれか一に記載の録画再生装置。
【請求項５】
報知部は、録画予約情報を受付けた後の手動録画によって空容量が不足することとなった場合には、コンテンツの削除などを促す報知をその手動録画の終了後、直ちに実行する第二報知手段を有する請求項１から４のいずれか一に記載の録画再生装置。
【請求項６】
録画予約情報を受付ける録画予約情報受付ステップと、
録画予約情報に基づいて必要な録画容量を取得する録画容量取得ステップと、
記録デバイスの空容量を取得する空容量取得ステップと、
録画容量に対して空容量が不足するか判断する判断ステップと、
判断結果が不足するとの判断結果である場合には、装置電源ＯＦＦを受付けた際に、記録済コンテンツの削除などを促す報知をする報知ステップと、
を有する録画再生装置の動作方法。
【発明の詳細な説明】
【技術分野】
【０００１】
予約録画が実行可能な録画再生装置であって、記録デバイスの空容量が十分であるかどうかを判断する録画再生装置に関する。
【背景技術】
【０００２】
従来、ハードディスクレコーダやＤＶＤレコーダ等の録画再生装置においては、所定の時刻になると自動的にテレビ番組等のコンテンツの録画が行われるように録画予約をする機能を有している。この録画予約の設定がなされた場合に、記録デバイスにおいて録画予約されたコンテンツを記録するために十分な空容量がない場合に、記録済みのコンテンツの消去を促す機能を有する録画再生装置が存在する。また、例えば特許文献１においては、録画中に記録デバイスの空容量（残容量）が不足した場合に自動的に記録済みのコンテンツを削除して空容量を確保する発明が開示されている
【特許文献１】特開２００２−１１２１５０号公報
【発明の開示】
【発明が解決しようとする課題】
【０００３】
しかしながら、予約設定時に記録済みのコンテンツの消去がなされて十分な空容量が確保されたとしても、その後ユーザが手動で録画を行ったりＤＶＤメディア等を他のメディアに交換した場合には、空容量不足により予約録画が失敗する事態が発生しうる。また、特許文献１に記述されているようにハードディスクレコーダの場合には録画をしつつコンテンツを消去する処理を並行して実行することができるが、ＤＶＤレコーダ等のようにリムーバブルメディアを記録媒体とする録画再生装置においては、録画中にコンテンツを消去する処理を並行して実行することはできない。
【課題を解決するための手段】
【０００４】
そこで本件発明においては、録画予約情報受付部と、録画予約情報に基づいて予約録画を実行する予約録画実行部と、録画予約情報に基づいて必要な録画容量を取得する録画容量取得部と、記録デバイスの空容量を取得する空容量取得部と、録画容量に対して空容量が不足するか判断する判断部と、判断結果が不足するとの判断結果である場合には、装置電源ＯＦＦを受付けた際に、記録済コンテンツの削除などを促す報知をする報知部と、を有する録画再生装置を提案する。また、予約録画実行部は、録画メディアとして、信号読取素子がメディアの管理情報の書換とコンテンツの記録とを同時並行にて実行不可なメディアである管理情報バッチ処理メディアを利用する管理情報バッチ処理メディア手段を有していてもよい。すなわち、本件発明の録画再生装置においては、受付けた録画予約情報に基づいて取得する録画容量に対して記録デバイスの空容量が不足する場合には、録画再生装置の電源ＯＦＦを受付けたタイミングにて記録済コンテンツの削除などを促す報知を行う点が特徴である。
【発明の効果】
【０００５】
本件発明の録画再生装置においては、ユーザが録画予約設定後に手動で録画を行った場合等であっても、その後ユーザが電源をＯＦＦにしようとすると空容量が不足する場合には記録済コンテンツの削除などを促す報知が行われるため、予約録画が実行される際に空容量不足によって録画が失敗するリスクが非常に低くなる。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、３、６などについて説明する。実施形態２は、主に請求項２などについて説明する。実施形態３は、主に請求項４などについて説明する。実施形態４は、主に請求項５などについて説明する。
（実施形態１）
【０００７】
（実施形態１：概要）本実施形態は、受付けた録画予約情報に基づいて必要な録画容量を取得するとともに記録デバイスの空容量を取得し、録画容量に対して空容量が不足するか判断し、不足するとの判断である場合には、装置電源ＯＦＦを受付けた際に、記録済コンテンツの削除などを促す報知をする録画再生装置について説明する。
【０００８】
図１は、本実施形態に係る録画再生装置の概要図である。まず、ユーザが録画再生装置（０１０１）において録画再生装置と接続されているテレビ等の表示装置（０１０２）を見ながら録画予約を行ったとする（場面（ａ））。その後、ユーザが録画再生装置（０１０１）の電源ボタン（０１０３）を押下して電源をＯＦＦにしたとする（場面（ｂ））。すると、録画再生装置では予約録画に必要な録画容量に対してＤＶＤメディア等の記録デバイスの空容量が不足するか判断し、不足する場合には、録画再生装置（０１０１）の電源をＯＦＦにする前に空容量が不足している旨や記録済コンテンツの削除などを促すためのメッセージを表示装置（０１０２）に対して出力する（場面（ｃ））。その後、ユーザが記録済コンテンツの削除や記録デバイスの交換等を行った後に録画再生装置（０１０１）の電源をＯＦＦにする（場面（ｄ））。
【０００９】
（実施形態１：構成）本実施形態に係る録画再生装置の機能ブロック図を図２に例示する。録画再生装置（０２００）は、「録画予約情報受付部」（０２０１）と、「予約録画実行部」（０２０２）と、「録画容量取得部」（０２０３）と、「空容量取得部」（０２０４）と、「判断部」（０２０５）と、「報知部」（０２０６）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１１】
「録画予約情報受付部」（０２０１）は、録画予約情報を受付ける機能を有する。「録画予約情報」とは、録画予約を行うための情報であり、例えば図４に示すような情報である。すなわち、録画開始日時、録画終了日時、チャンネル、コンテンツ名（番組名）、など、録画するコンテンツを一意に識別する情報である。また、図４のような情報は、ユーザが録画予約画面において録画再生装置の操作キー等を操作することによって直接入力されてもよいし、電子番組表（ＥＰＧ）をクリックしたりＧコードを入力したりすること等によって、間接的に図４のような情報が録画再生装置に取得されてもよい。また、録画再生装置は受付けた録画予約情報を図５のようにデータベース等として不揮発性の半導体メモリやハードディスク等の記録装置に保持しておく。
【００１２】
「予約録画実行部」（０２０２）は、録画予約情報に基づいて予約録画を実行する。「録画予約情報（に基づいて）」とは、録画予約情報受付部（０２０１）にて受付けて保持されている録画予約情報を指す。すなわち、図５のような情報に基づいて録画開始日時になるとチューナー等を介して受信したコンテンツをＤＶＤメディアやハードディスク等の所定の記録デバイスに記録する。なお、録画する「コンテンツ」は主にテレビ番組等を想定しているが特定のものに限定する趣旨ではない。「コンテンツ」は、例えば、映像、音声、音楽等を含み、さらに、文字情報、アプリケーションプログラム、またはそれらの複合形で表現される情報等を含むものであってもよい。
【００１３】
「録画容量取得部」（０２０３）は、録画予約情報に基づいて必要な録画容量を取得する。「必要な録画容量」とは、録画予約情報に示されるコンテンツを録画するために必要な記録デバイスの容量を意味する。また、「必要な録画容量」は、次に実行する予約録画のみに必要な録画容量であってもよいし、判断時点で設定されているすべての予約録画を実行するために必要な録画容量であってもよい。また、次の電源がＯＦＦとなるまでに連続的に実行される予定の予約録画に必要な録画容量であってもよい。また、「取得する」とは、生成（算出）する場合、内部の他の処理機構から取得する場合、外部から取得する場合、があり得る。録画容量を生成（算出）する場合を例に取ると、例えば、コンテンツ録画時のビットレートを６Ｍｂｐｓ（メガビット毎秒）として録画時間が２時間であるとすると、６×７２００＝４３２００メガビット＝５４００メガバイト＝５．４ギガバイト、が必要な録画容量となる。
【００１４】
「空容量取得部」（０２０４）は、記録デバイスの空容量を取得する。「記録デバイス」とは、コンテンツを記録可能な記録媒体であり、その種類等は問わない。ハードディスクのような内蔵型であってもよいしＤＶＤメディアやブルーレイディスクのような着脱型であってもよい。また、空容量取得部は、具体的には例えば記録メディア等の管理情報から空容量を取得する。
【００１５】
「判断部」（０２０５）は、録画容量に対して空容量が不足するか判断する。これは、録画予約を実行した時に録画予約されたコンテンツをすべて記録デバイスに記録できるかどうかを判断するためである。「録画容量」とは録画容量取得部（０２０３）にて取得された録画容量であり、「空容量」とは空容量取得部（０２０４）にて取得された空容量である。前述した例であれば、録画容量取得部（０２０３）にて取得した録画容量が「５．４ギガバイト」であり、空容量取得部（０２０４）にて取得した空容量が「３ギガバイト」であれば、録画容量に対して空容量が不足する、との判断結果となる。また、記録デバイスに保存可能なＭＰＥＧ（Ｍｏｖｉｎｇ  Ｐｉｃｔｕｒｅ  Ｅｘｐｅｒｔｓ  Ｇｒｏｕｐ）のｉピクチャの数に制限がある場合には、残り記録可能なｉピクチャの数と録画に必要なｉピクチャの数とを比較するようになっていてもよい。また、空容量が不足する場合とは、例えば録画再生装置にセットされているＤＶＤメディア等が記録できないメディアである場合等も含む。
【００１６】
「報知部」（０２０６）は、判断結果が不足するとの判断結果である場合には、装置電源ＯＦＦを受付けた際に、記録済コンテンツの削除などを促す報知をする。「判断結果」とは、判断部（０２０５）における判断の結果である。すなわち、「不足するとの判断結果」とは、録画容量に対して空容量が不足するとの判断結果を意味する。「装置電源ＯＦＦを受付けた際」とは、主にはユーザによって手動で電源がＯＦＦされる場合を想定しているが、自動的に電源がＯＦＦになる場合であってもよい。また、手動で電源がＯＦＦされる場合は、録画再生装置用のリモコンからの電源ＯＦＦ信号を受信することでＯＦＦされるようになっていてもよい。また、録画再生装置に接続されているテレビ等の表示装置の電源がＯＦＦにされると連動して録画再生装置の電源もＯＦＦになるようになっている場合には、録画再生装置の電源をＯＦＦさせるための信号が表示装置から録画再生装置に出力された時を「装置電源ＯＦＦを受付けた際」に該当するものとしてもよい。また、このような場合には表示装置の電源がＯＦＦになってしまうと記録済コンテンツの削除などを促す報知画面が表示されなくなってしまうため、表示装置の電源ＯＦＦ動作を中断する信号を表示装置に対して出力するようになっていてもよい。また、「記録済コンテンツの削除などを促す報知」とは、空容量を確保するための報知であるので、記録済コンテンツの削除を促す報知以外にもディスクを交換するよう促す報知などであってもよい。また、録画容量取得部、空容量取得部、判断部における処理は装置電源ＯＦＦを受付けた後に行われてもよいし、装置電源ＯＦＦを受付ける以前に予め行われていてもよい。また、装置電源ＯＦＦを受付けた時点から予約録画開始時刻までの間隔が１２０秒未満である場合には、報知部による報知が行われないようになっていてもよい。この場合には、その後、空容量の限り録画を行うようになっていてもよいし、記録日時の古い順に記録済コンテンツを自動的に削除してから録画するようになっていてもよいし、予約録画を実行しないようになっていてもよい。
【００１７】
図６は、報知部による報知の一例図である。例えば、ユーザが電源をＯＦＦにするために電源ボタンを押下すると電源がＯＦＦになる前に図６のようなメッセージが表示装置に出力されて表示される。これによりユーザは記録デバイスに十分な空容量が無いことを知って不要なコンテンツを削除したりディスクを交換したりして空容量を確保することができる。また、ユーザが一度コンテンツの削除作業等をしてもなお空容量が足りない場合には、繰り返し図６のようなメッセージを出力するようになっていてもよい。また、報知部による報知がなされてもユーザからの入力がない場合には、所定の時間経過後に自動的に電源がＯＦＦされるようになっていてもよい。この場合には、空容量は不足したままであることが想定されるが、この後、予約録画を実行しないようになっていてもよいし、空容量の限り録画を行うようになっていてもよいし、記録日時の古い順に記録済コンテンツを自動的に削除して空容量を確保してから録画するようになっていてもよい。
【００１８】
また、録画再生装置は、図３のような構成であってもよい。すなわち、録画再生装置（０３００）は、「録画予約情報受付部」（０３０１）と、「予約録画実行部」（０３０２）と、「録画容量取得部」（０３０３）と、「空容量取得部」（０３０４）と、「判断部」（０３０５）と、「報知部」（０３０６）と、を有し、予約録画実行部（０３０２）は、「管理情報バッチ処理メディア手段」（０３１０）を有する。図２に示した構成との違いは、予約録画実行部（０３０２）が「管理情報バッチ処理メディア手段」（０３１０）を有する点である。なお、図３に示す構成においては、さらに予約録画実行部（０３０２）が後述する時間間隔条件判断手段と連続録画手段を有しており、録画容量取得部（０３０３）が後述する連続録画容量取得手段を有していてもよい。
【００１９】
「管理情報バッチ処理メディア手段」（０３１０）は、録画メディアとして、信号読取素子がメディアの管理情報の書換とコンテンツの記録とを同時並行にて実行不可なメディアである管理情報バッチ処理メディアを利用する。「信号読取素子」とは、例えばＤＶＤなどの光ドライブにおける光ピックアップの受光部が該当する。「信号読取素子がメディアの管理情報の書換とコンテンツの記録とを同時並行にて実行不可なメディア」とは、例えばＤＶＤのような光学ディスクにおいては管理情報が書き込まれる領域とコンテンツを記録する領域は別々の領域となっており、記録済コンテンツがすでに記録されている領域に新しいコンテンツを記録する処理と管理情報を書き換える処理は並行して行うことができないが、このようなメディアのことを指す。
【００２０】
（実施形態１：ハードウェア上における処理の具体例）図７は、録画再生装置のハードウェア構成の一例を示す。以下、図７を用いて録画再生装置におけるハードウェア上の処理動作について説明する。録画再生装置は備え付けられているボタン等の操作部（０７０４）を介して、もしくは録画再生装置用のリモコンからリモコン通信インタフェース（０７０５）を介して操作信号が入力されることにより、録画予約情報を取得する。取得された録画予約情報は、一旦、一時メモリ（０７０６）に格納された後、不揮発性の半導体メモリやハードディスク等の記憶装置（０７０１）に保持される。また、電源ボタンが押下されて電源ＯＦＦ信号が取得されると、記憶装置（０７０１）に保持されている録画予約情報に基づいて録画時間が算出され、設定されている録画ビットレートに応じて必要な録画容量が算出されて一時メモリ（０７０６）に格納される。また、記録デバイス（０７０２）の空容量が読み出されて一時メモリ（０７０６）に格納され、録画容量と空容量が比較される。これにより、録画容量に対して空容量が不足すると判断された場合には、記憶装置（０７０１）に記憶されている記録済コンテンツの削除を促すメッセージ画面情報が入出力インタフェース（０７０３）を介して外部の表示装置に出力される。また、記憶装置（０７０１）に保持されている録画予約情報に示される録画開始時間になると、チューナー（０７０７）を介して取得された番組コンテンツ等が記録デバイス（０７０２）に記録される。また、これらの処理を実行するためのプログラムは記憶装置（０７０１）にあらかじめ保持されており、適宜、読み出されて実行される。
【００２１】
なお、図７を用いて説明したハードウェア上の処理はあくまで処理の概要を説明するものである。
【００２２】
（実施形態１：処理の流れ）図８は、本実施形態に係る録画再生装置における処理の流れを示すフロー図を例示する。ここでは、（ａ）と（ｂ）の処理フローについて説明する。
【００２３】
まず、図８（ａ）のフロー図について説明する。最初に、録画予約情報を受付ける（Ｓ０８０１ａ）。次に、電源ＯＦＦを受付けたか判断する（Ｓ０８０２ａ）。ここでの判断が受付けていないとの判断である場合には、ステップＳ０８０２ａを繰り返す。ここでの判断が受付けたとの判断である場合には、録画容量を取得する（Ｓ０８０３ａ）。次に、記録デバイスの空容量を取得する（Ｓ０８０４ａ）。次に、録画容量に対して空容量が不足するか判断する（Ｓ０８０５ａ）。ここでの判断が不足するとの判断である場合には、記録済コンテンツの削除などを促す報知を実行する（Ｓ０８０６ａ）。ここでの判断が不足しないとの判断である場合には、ステップＳ０８０７ａに移行する。なお、ステップＳ０８０６ａにおける報知に対してユーザからの入力がない場合にはステップＳ０８０７ａを実行しないようになっていてもよいし、記録日時の古い順に記録済コンテンツを自動的に削除してからステップＳ０８０７ａを実行するようになっていてもよい。最後に、予約録画を実行する（Ｓ０８０７ａ）。
【００２４】
次に、図８（ｂ）のフロー図について説明する。最初に、録画予約情報を受付ける（Ｓ０８０１ｂ）。次に、録画容量を取得する（Ｓ０８０２ｂ）。次に、記録デバイスの空容量を取得する（Ｓ０８０３ｂ）。次に、録画容量に対して空容量が不足するか判断する（Ｓ０８０４ｂ）。ここでの判断が不足しないとの判断である場合には、ステップＳ０８０７ｂに移行する。ここでの判断が不足するとの判断である場合には、さらに電源ＯＦＦを受付けたか判断する（Ｓ０８０５ｂ）。ステップＳ０８０５ｂでの判断が受付けていないとの判断である場合には、ステップＳ０８０５ｂを繰り返す。ステップＳ０８０５ｂでの判断が受付けたとの判断である場合には、記録済コンテンツの削除などを促す報知を実行する（Ｓ０８０６ｂ）。なお、ステップＳ０８０６ｂにおける報知に対してユーザからの入力がない場合にはステップＳ０８０７ｂを実行しないようになっていてもよいし、記録日時の古い順に記録済コンテンツを自動的に削除してからステップＳ０８０７ｂを実行するようになっていてもよい。最後に、予約録画を実行する（Ｓ０８０７ｂ）。
【００２５】
なお、図８のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２６】
（実施形態１：効果）本実施形態に係る録画再生装置によれば、例えばユーザが録画予約設定後に手動で録画を行ったような場合であっても、その後ユーザが電源をＯＦＦにしようとすると空容量が不足する場合には記録済コンテンツの削除などを促す報知が行われるため、予約録画が実行される際に空容量不足によって録画が失敗するリスクが非常に低くなる。
（実施形態２）
【００２７】
（実施形態２：概要）本実施形態は、コンテンツとコンテンツの時間間隔が所定の時間間隔条件を満たしている場合には一のコンテンツの録画終了後に電源をＯＦＦとしないで連続的にそれに続く他のコンテンツの録画を行い、さらにこの場合には録画容量としてそれら複数のコンテンツを録画するに必要な合計値を取得することを特徴とする録画再生装置について説明する。
【００２８】
（実施形態２：構成）本実施形態に係る録画再生装置の機能ブロック図を図９に例示する。録画再生装置（０９００）は、「録画予約情報受付部」（０９０１）と、「予約録画実行部」（０９０２）と、「録画容量取得部」（０９０３）と、「空容量取得部」（０９０４）と、「判断部」（０９０５）と、「報知部」（０９０６）と、を有する。また、予約録画実行部（０９０２）は、「時間間隔条件判断手段」（０９０７）と、「連続録画手段」（０９０８）と、を有する。また、録画容量取得部（０９０３）は、「連続録画容量取得手段」（０９０９）を有する。「時間間隔条件判断手段」（０９０７）と「連続録画手段」（０９０８）と「連続録画容量取得手段」（０９０９）以外の構成については前述した通りであるので、ここでの説明は省略する。
【００２９】
「時間間隔条件判断手段」（０９０７）は、予約されているコンテンツと予約されているコンテンツの時間間隔が所定の時間間隔条件を満たしているか判断する。「予約されているコンテンツと予約されているコンテンツの時間間隔」とは、２以上の録画予約が設定された場合に、連続した録画予約にかかるコンテンツ間の時間間隔を指す。例えば、図１０に例示するように、先の録画予約にかかるコンテンツＡ（１００１ａ、１００１ｂ）の録画終了時刻と次の録画予約にかかるコンテンツＢ（１００２ａ、１００２ｂ）の録画開始時刻との時間間隔が該当する。図１０（ａ）においては、コンテンツＡの録画終了時刻が１９：５８であり、コンテンツＢの録画開始時刻が２０：００であるので、両者の時間間隔は２分である。また、図１０（ｂ）においては、コンテンツＡの録画終了時刻が１９：４５であり、コンテンツＢの録画開始時刻が２０：００であるので、両者の時間間隔は１５分である。また、コンテンツＡの録画が終了した後に一旦録画再生装置の電源をＯＦＦにし、コンテンツＢの録画を開始する直前に電源をＯＮにするようになっている場合には、「予約されているコンテンツと予約されているコンテンツの時間間隔」は、電源をＯＦＦとするために必要な時間や電源をＯＮとする（電源がＯＮになって録画可能状態になるまでの時間等）ために必要な時間をも考慮した時間であってもよい。例えば、図１０（ｃ）は図１０（ｂ）の録画予約においてさらに電源ＯＦＦの時間と電源ＯＮの時間を考慮する場合を示す。つまり、時間Ｔ１が電源ＯＦＦの時間であり、時間Ｔ２が電源ＯＮの時間である。また、「所定の時間間隔条件」とは、具体的には３分程度を想定しているが、これに限定するものではない。
【００３０】
「連続録画手段」（０９０８）は、時間間隔条件を満たしていると判断される場合には一のコンテンツの録画終了後に電源をＯＦＦとしないで連続的にそれに続く他のコンテンツの録画をする。「一のコンテンツの録画終了後に電源をＯＦＦとしないで連続的にそれに続く他のコンテンツの録画をする」とは、つまり、図１０の例で言えば、コンテンツＡ（１００１ａ、１００１ｂ）の録画終了後に電源をＯＦＦにせずにそれに続くコンテンツＢ（１００２ａ、１００２ｂ）の録画を実行するということである。例えば、時間間隔条件が「３分未満」であるとすると、図１０（ａ）の場合にはコンテンツＡとコンテンツＢの時間間隔は２分であるので、時間間隔条件を満たしており、よってコンテンツＡの録画が終了しても電源をＯＦＦせずコンテンツＢの録画を実行する。また、図１０（ｂ）の場合にはコンテンツＡとコンテンツＢの時間間隔は１５分であるので、時間間隔条件を満たしておらず、このような場合にはコンテンツＡの録画が終了すると電源をＯＦＦし、コンテンツＢの録画を実行する際に電源をＯＮにする。このように、予約録画を行う時間間隔が広い場合には省エネの点からも一旦電源をＯＦＦしておくことが望ましいが、電源をＯＦＦにした後に再度電源をＯＮして録画可能状態になるまでにはある程度の時間が必要であるため、予約録画の時間間隔が短い場合には電源をＯＦＦにせずにＯＮのまま次の予約録画を実行する場合が考えられる。つまり、「時間間隔条件」とは、例えば録画再生装置の電源をＯＦＦにする時間と、その後電源をＯＮにして録画再生装置が録画可能状態になるまでに最低限必要な時間を合算した時間等が閾値になることが想定される。
【００３１】
図１１は、時間間隔条件判断手段と連続録画手段における処理を示すフロー図である。ここでは、連続した録画予約に係るコンテンツを「コンテンツＡ」と「コンテンツＢ」として示している。また、ここでは録画再生装置の電源をＯＮにしてから録画可能状態になるまでに必要な時間を１分とする。最初に、コンテンツＡの予約録画を実行する（Ｓ１１０１）。次に、コンテンツＡとコンテンツＢの時間間隔が所定の時間間隔条件を満たしているか判断する（Ｓ１１０２）。ここでの判断が満たしているとの判断である場合には、コンテンツＢの予約録画開始時刻になったかどうか判断し（Ｓ１１０３）、開始時刻になったと判断された場合にはコンテンツＢの予約録画を実行する（Ｓ１１０８）。また、ステップＳ１１０２での判断が満たしていないとの判断である場合には、電源をＯＦＦにする（Ｓ１１０４）。次に、コンテンツＢの予約録画開始時刻の１分前になったかどうか判断し（Ｓ１１０５）、開始時刻の１分前になったと判断された場合には電源をＯＮにする（Ｓ１１０６）。次に、コンテンツＢの予約録画開始時刻になったかどうか判断し（Ｓ１１０７）、開始時刻になったと判断された場合には、コンテンツＢの予約録画を実行する（Ｓ１１０８）。
【００３２】
「連続録画容量取得手段」（０９０９）は、連続録画手段にて連続的に録画される複数のコンテンツがある場合には、録画容量としてそれら複数のコンテンツを録画するに必要な合計値を取得する。「連続録画手段にて連続的に録画される」とは、電源をＯＦＦとしないで連続的に録画される、ということである。つまり、連続録画容量取得手段は、電源をＯＦＦとせずに連続的に複数のコンテンツを録画する場合には、その複数のコンテンツをすべて録画するために必要な容量を録画容量として取得する。
【００３３】
（実施形態２：処理の流れ）本実施形態に係る録画再生装置における処理の流れは、実施形態１にて説明した処理の流れと同様である。ただし、録画予約を受付けたコンテンツとコンテンツの時間間隔が所定の時間間隔条件を満たしている場合には、一のコンテンツの録画終了後に電源をＯＦＦとしないで連続的にそれに続く他のコンテンツの録画をし、録画容量としてそれら複数のコンテンツを録画するに必要な合計値を取得することを特徴とする。
【００３４】
（実施形態２：効果）本実施形態に係る録画再生装置によれば、記録デバイスの空容量が次の電源ＯＦＦまでの予約録画に耐えうる容量であるかどうかを判断することができる。
（実施形態３）
【００３５】
（実施形態３：概要）本実施形態は、録画予約情報を受付けた際に録画容量に対して空容量が不足するか判断し、不足するとの判断である場合にはコンテンツの削除などを促す報知を直ちに実行することを特徴とする録画再生装置について説明する。
【００３６】
（実施形態３：構成）本実施形態に係る録画再生装置の機能ブロック図を図１２に例示する。録画再生装置（１２００）は、「録画予約情報受付部」（１２０１）と、「予約録画実行部」（１２０２）と、「録画容量取得部」（１２０３）と、「空容量取得部」（１２０４）と、「判断部」（１２０５）と、「報知部」（１２０６）と、を有する。また、判断部（１２０５）は、「第一判断手段」（１２１１）を有する。また、報知部（１２０６）は、「第一報知手段」（１２１２）を有する。さらに、予約録画実行部（１２０２）は時間間隔条件判断手段と連続録画手段を有しており、録画容量取得部（１２０３）は連続録画容量取得手段を有していてもよい。また、予約録画実行部（１２０２）は管理情報バッチ処理メディア手段を有していてもよい。「第一判断手段」（１２１１）と「第一報知手段」（１２１２）以外の構成については前述した通りであるので、ここでの説明は省略する。
【００３７】
「第一判断手段」（１２１１）は、録画予約情報を受付けた際に前記判断をする。「前記判断」とは、録画容量に対して空容量が不足するかの判断である。「録画予約情報を受付けた際」とは、例えばユーザが録画予約画面にて録画開始時刻等を設定した後に予約設定ボタンを押下した時などが該当する。より具体的には、ユーザが予約設定ボタンを押下することによって、予約設定信号が取得され、予約設定信号が取得されたことをトリガーとして録画容量に対して空容量が不足するかの判断処理が実行される。
【００３８】
「第一報知手段」（１２１２）は、録画予約情報を受付けた際の第一判断手段での判断結果が不足するとの判断結果である場合にはコンテンツの削除などを促す報知を直ちに実行する。「直ちに実行する」とは、第一判断手段（１２１１）における判断結果が出た後、直ちに、という意味である。つまり、録画再生装置を利用するユーザから見ると、例えば録画予約画面にて予約設定ボタンを押下すると、その時点で記録デバイスの空容量が不足している場合には即座にその旨のメッセージ等が表示装置等に表示されることになる。
【００３９】
（実施形態３：処理の流れ）図１３は、本実施形態に係る録画再生装置における処理の流れを示すフロー図を例示する。
【００４０】
最初に、録画予約情報を受付ける（Ｓ１３０１）。次に、録画容量を取得する（Ｓ１３０２）。次に、記録デバイスの空容量を取得する（Ｓ１３０３）。次に、録画容量に対して空容量が不足するか判断する（Ｓ１３０４）。ここでの判断が不足するとの判断である場合には、記録済コンテンツの削除などを促す報知を実行する（Ｓ１３０５）。ここでの判断が不足しないとの判断である場合には、ステップＳ１３０６に移行する。なお、ステップＳ１３０５における報知に対してユーザからの入力がない場合にはステップＳ１３０６を実行しないようになっていてもよいし、記録日時の古い順に記録済コンテンツを自動的に削除してからステップＳ１３０６を実行するようになっていてもよい。最後に、予約録画を実行する（Ｓ１３０６）。なお、本実施形態に係る録画再生装置は図８にて説明した処理も実行する。
【００４１】
（実施形態３：効果）本実施形態に係る録画再生装置によれば、例えば録画予約設定を行った際に録画再生装置の電源がＯＦＦにならない場合やユーザが電源をＯＦＦにしない場合であっても、記録デバイスの空容量が不足していることを即座に知ることができる。
（実施形態４）
【００４２】
（実施形態４：概要）本実施形態は、録画予約情報を受付けた後の手動録画によって空容量が不足することとなった場合には、コンテンツの削除などを促す報知をその手動録画の終了後、直ちに実行することを特徴とする録画再生装置について説明する。
【００４３】
（実施形態４：構成）本実施形態に係る録画再生装置の機能ブロック図を図１４に例示する。録画再生装置（１４００）は、「録画予約情報受付部」（１４０１）と、「予約録画実行部」（１４０２）と、「録画容量取得部」（１４０３）と、「空容量取得部」（１４０４）と、「判断部」（１４０５）と、「報知部」（１４０６）と、を有する。また、報知部（１４０６）は、「第二報知手段」（１４１３）を有する。さらに、予約録画実行部（１４０２）は時間間隔条件判断手段と連続録画手段を有しており、録画容量取得部（１４０３）は連続録画容量取得手段を有していてもよい。また、予約録画実行部（１４０２）は管理情報バッチ処理メディア手段を有していてもよい。また、判断部（１４０５）は第一判断手段を有し、報知部（１４０６）は第一報知手段を有していてもよい。「第二報知手段」（１４１３）以外の構成については前述した通りであるので、ここでの説明は省略する。
【００４４】
「第二報知手段」（１４１３）は、録画予約情報を受付けた後の手動録画によって空容量が不足することとなった場合には、コンテンツの削除などを促す報知をその手動録画の終了後、直ちに実行する。これにより、録画予約情報を受付けた際には記録デバイスの空容量が十分であったがその後ユーザによって手動録画が行われたことにより空容量が不足してしまうような場合であっても、コンテンツの削除などを促す報知が実行されることになる。
【００４５】
（実施形態４：処理の流れ）図１５は、本実施形態に係る録画再生装置における処理の流れを示すフロー図を例示する。
【００４６】
最初に、録画予約情報を受付ける（Ｓ１５０１）。次に、ユーザの手動によって録画命令を受付けて録画を実行する（Ｓ１５０２）。次に、録画が終了すると（Ｓ１５０３）、録画容量を取得する（Ｓ１５０４）。次に、記録デバイスの空容量を取得する（Ｓ１５０５）。次に、録画容量に対して空容量が不足するか判断する（Ｓ１５０６）。ここでの判断が不足するとの判断である場合には、記録済コンテンツの削除などを促す報知を実行する（Ｓ１５０７）。ここでの判断が不足しないとの判断である場合には、ステップＳ１５０８に移行する。なお、ステップＳ１５０７における報知に対してユーザからの入力がない場合にはステップＳ１５０８を実行しないようになっていてもよいし、記録日時の古い順に記録済コンテンツを自動的に削除してからステップＳ１５０８を実行するようになっていてもよい。最後に、予約録画を実行する（Ｓ１５０８）。なお、本実施形態に係る録画再生装置は図８にて説明した処理も実行する。
【００４７】
（実施形態４：効果）本実施形態に係る録画再生装置によれば、ユーザが録画予約設定を行った時には記録デバイスの空容量が不足していなかったがその後ユーザが手動録画を行うことによって記録デバイスの空容量が不足したような場合であっても、ユーザは記録デバイスの空容量が不足していることを知ることができる。
【図面の簡単な説明】
【００４８】
【図１】実施形態１に係る録画再生装置の概要図
【図２】実施形態１に係る録画再生装置の機能ブロック図
【図３】実施形態１に係る録画再生装置の機能ブロック図
【図４】録画予約情報の一例図
【図５】録画再生装置に保持される情報の一例図
【図６】報知部による報知の一例図
【図７】実施形態１に係る録画再生装置のハードウェア構成の一例図
【図８】実施形態１に係る録画再生装置の処理の流れを示すフロー図
【図９】実施形態２に係る録画再生装置の機能ブロック図
【図１０】コンテンツとコンテンツの時間間隔について説明する図
【図１１】時間間隔条件判断手段と連続録画手段における処理を示すフロー図
【図１２】実施形態３に係る録画再生装置の機能ブロック図
【図１３】実施形態３に係る録画再生装置の処理の流れを示すフロー図
【図１４】実施形態４に係る録画再生装置の機能ブロック図
【図１５】実施形態４に係る録画再生装置の処理の流れを示すフロー図
【符号の説明】
【００４９】
０１０１    録画再生装置
０１０２    表示装置
０１０３    電源ボタン
０２００    録画再生装置
０２０１    録画予約情報受付部
０２０２    予約録画実行部
０２０３    録画容量取得部
０２０４    空容量取得部
０２０５    判断部
０２０６    報知部
【図１】
2009081501.tif 000003
【図２】
2009081501.tif 000004
【図３】
2009081501.tif 000005
【図４】
2009081501.tif 000006
【図５】
2009081501.tif 000007
【図６】
2009081501.tif 000008
【図７】
2009081501.tif 000009
【図８】
2009081501.tif 000010
【図９】
2009081501.tif 000011
【図１０】
2009081501.tif 000012
【図１１】
2009081501.tif 000013
【図１２】
2009081501.tif 000014
【図１３】
2009081501.tif 000015
【図１４】
2009081501.tif 000016
【図１５】
2009081501.tif 000017